(57)【要約】  無線通信システムは、宛先装置と、Ｄ２Ｄ（device to device）通信をサポートし、宛先装置へデータを送信する送信元装置と、Ｄ２Ｄ通信をサポートする複数の端末装置とを有する。送信元装置は、複数の端末装置へディスカバリ信号を送信する。複数の端末装置は、それぞれ、送信元装置から送信されるディスカバリ信号の受信電力、宛先装置から送信される参照信号の受信電力、自装置のバッテリ残量、自装置に隣接するＤ２Ｄノードの数、自装置に隣接するＤ２Ｄノードから受ける干渉のうちの少なくとも１つに基づいて優先値を計算する。複数の端末装置は、それぞれ優先値を送信元装置へ送信する。送信元装置は、１または複数の端末装置から受信する優先値に基づいて、複数の端末装置の中からデータを中継する端末装置を選択する。
2016181547.tif 000002
【特許請求の範囲】
【請求項１】
宛先装置と、
Ｄ２Ｄ（device to device）通信をサポートし、前記宛先装置へデータを送信する送信元装置と、
Ｄ２Ｄ通信をサポートする複数の端末装置と、を有し、
前記送信元装置は、前記複数の端末装置へディスカバリ信号を送信し、
前記複数の端末装置は、それぞれ、前記送信元装置から送信されるディスカバリ信号の受信電力、前記宛先装置から送信される参照信号の受信電力、自装置のバッテリ残量、自装置に隣接するＤ２Ｄノードの数、自装置に隣接するＤ２Ｄノードから受ける干渉のうちの少なくとも１つに基づいて優先値を計算し、
前記複数の端末装置は、それぞれ、前記優先値を前記送信元装置へ送信し、
前記送信元装置は、１または複数の端末装置から受信する優先値に基づいて、前記複数の端末装置の中から、前記送信元装置から前記宛先装置へ送信されるデータを中継する端末装置を選択する
ことを特徴とする無線通信システム。
【請求項２】
前記複数の端末装置は、それぞれ、前記優先値が閾値よりも高いときに、前記優先値を前記送信元装置へ送信する
ことを特徴とする請求項１に記載の無線通信システム。
【請求項３】
前記ディスカバリ信号は、前記送信元装置から前記宛先装置へ送信されるデータの種別を表すデータ種別情報を伝送し、
前記複数の端末装置は、それぞれ、前記データ種別情報に基づいて、前記優先値を計算するか否かを判定する
ことを特徴とする請求項１に記載の無線通信システム。
【請求項４】
前記送信元装置は、選択された端末装置へＤ２Ｄ通信でデータを送信し、
選択された端末装置は、前記送信元装置から受信したデータを前記宛先装置へ転送する
ことを特徴とする請求項１に記載の無線通信システム。
【請求項５】
前記宛先装置は、セルラ通信を提供する基地局であり、
前記送信元装置は、セルサーチにおいて前記宛先装置を検出できなかったときに、前記複数の端末装置へディスカバリ信号を送信して前記複数の端末装置の中から前記データを中継する端末装置を選択する
ことを特徴とする請求項１に記載の無線通信システム。
【請求項６】
宛先装置と、Ｄ２Ｄ（device to device）通信をサポートし、前記宛先装置へデータを送信する送信元装置と、Ｄ２Ｄ通信をサポートする複数の端末装置と、を含む無線通信システムにおいて使用される無線通信方法であって、
前記送信元装置は、前記複数の端末装置へディスカバリ信号を送信し、
前記複数の端末装置は、それぞれ、前記送信元装置から送信されるディスカバリ信号の受信電力、前記宛先装置から送信される参照信号の受信電力、自装置のバッテリ残量、自装置に隣接するＤ２Ｄノードの数、自装置に隣接するＤ２Ｄノードから受ける干渉のうちの少なくとも１つに基づいて優先値を計算し、
前記複数の端末装置は、それぞれ、前記優先値を前記送信元装置へ送信し、
前記送信元装置は、１または複数の端末装置から受信する優先値に基づいて、前記複数の端末装置の中から、前記送信元装置から前記宛先装置へ送信されるデータを中継する端末装置を選択する
ことを特徴とする無線通信方法。
【請求項７】
前記複数の端末装置は、それぞれ、前記優先値が閾値よりも高いときに、前記優先値を前記送信元装置へ送信する
ことを特徴とする請求項６に記載の無線通信方法。
【請求項８】
宛先装置と、Ｄ２Ｄ（device to device）通信をサポートし、前記宛先装置へデータを送信する送信元装置と、を含む無線通信システムにおいて使用される無線通信装置であって、
前記送信元装置からブロードキャストされるディスカバリ信号の受信電力、前記宛先装置から送信される参照信号の受信電力、自装置のバッテリ残量、自装置に隣接するＤ２Ｄノードの数、自装置に隣接するＤ２Ｄノードから受ける干渉のうちの少なくとも１つに基づいて、前記送信元装置から前記宛先装置へ送信されるデータを中継する端末装置を選択するための指標として使用される優先値を計算する優先値計算部と、
前記優先値を前記送信元装置へ送信する送信部と、
を有する無線通信装置。
【請求項９】
前記優先値計算部により計算された優先値と閾値とを比較する閾値判定部をさらに備え、
前記送信部は、前記優先値が前記閾値よりも高いときに、前記優先値を前記送信元装置へ送信する
ことを特徴とする請求項８に記載の無線通信装置。
【請求項１０】
Ｄ２Ｄ（device to device）通信をサポートする送信元装置と、
Ｄ２Ｄ通信およびセルラ通信をサポートする複数の端末装置と、
セルラ通信をサポートする基地局と、を有し、
前記送信元装置は、前記複数の端末装置へディスカバリ信号を送信し、
前記複数の端末装置は、それぞれ、前記送信元装置から送信されるディスカバリ信号の受信電力、前記基地局から送信される参照信号の受信電力、自装置のバッテリ残量、自装置に隣接するＤ２Ｄノードの数、自装置に隣接するＤ２Ｄノードから受ける干渉のうちの少なくとも１つに基づいて優先値を計算し、
前記複数の端末装置は、それぞれ、前記優先値が閾値よりも高いときに、前記優先値を前記基地局へ送信し、
前記基地局は、１または複数の端末装置から受信する優先値に基づいて、前記複数の端末装置の中から、前記送信元装置から前記基地局へ送信されるデータを中継する端末装置を選択する
ことを特徴とする無線通信システム。
【請求項１１】
宛先装置と、
Ｄ２Ｄ（device to device）通信をサポートし、前記宛先装置へデータを送信する送信元装置と、
Ｄ２Ｄ通信をサポートする複数の端末装置と、を有し、
前記複数の端末装置は、それぞれ、前記宛先装置から送信される参照信号の受信電力、自装置のバッテリ残量、自装置に隣接するＤ２Ｄノードの数のうちの少なくとも１つを含むパラメータ情報をディスカバリ信号を利用して前記送信元装置へ送信し、
前記送信元装置は、前記複数の端末装置のそれぞれについて、端末装置から送信される前記ディスカバリ信号の受信電力および端末装置から受信する前記パラメータ情報に基づいて優先値を計算し、
前記送信元装置は、前記複数の端末装置のそれぞれについて計算された優先値に基づいて、前記複数の端末装置の中から、前記送信元装置から前記宛先装置へ送信されるデータを中継する端末装置を選択する
ことを特徴とする無線通信システム。
【請求項１２】
宛先装置と、Ｄ２Ｄ（device to device）通信をサポートし、前記宛先装置へデータを送信する送信元装置と、Ｄ２Ｄ通信をサポートする複数の端末装置と、を含む無線通信システムにおいて使用される無線通信方法であって、
前記送信元装置は、前記複数の端末装置のそれぞれについて、端末装置から送信される前記ディスカバリ信号の受信電力および端末装置から受信する前記パラメータ情報に基づいて優先値を計算し、
前記送信元装置は、前記複数の端末装置のそれぞれについて計算された優先値に基づいて、前記複数の端末装置の中から、前記送信元装置から前記宛先装置へ送信されるデータを中継する端末装置を選択する
ことを特徴とする無線通信方法。
【発明の詳細な説明】
【技術分野】
【０００１】
本発明は、Ｄ２Ｄ（Device to Device）通信を行う無線通信システム、およびその無線通信システムで使用される無線通信装置に係わる。
【背景技術】
【０００２】
３ＧＰＰ（Third Generation Partnership Project）は、移動通信方式の標準化を検討している。例えば、ＬＴＥ（Long Term Evolution）などの高速無線通信方式について３ＧＰＰで標準化が行われている。そして、３ＧＰＰ標準リリース１２において、新しい無線通信方式の１つとして、Ｄ２Ｄ通信の標準化が進められている。なお、Ｄ２Ｄ通信は、ＬＴＥの拡張仕様の１つであり、LTE Device to Device Proximity Servicesと呼ばれることもある。【０００３】
Ｄ２Ｄ通信においては、端末装置は、基地局を介することなく、直接的に他の端末装置と通信を行うことができる。このため、Ｄ２Ｄ通信は、遅延の少ない通信が期待されている。また、基地局の電波が届きにくいエリア（又は、基地局が存在しないエリア）においてもＤ２Ｄ通信を行うことが可能なので、Ｄ２Ｄ通信はセル範囲（Network Coverage）の拡大に寄与し得る。さらに、基地局が使用できない状況（たとえば、大地震が発生したとき）においてもＤ２Ｄ通信を行うことが可能なので、Ｄ２Ｄ通信は、災害時の通信の確保にも寄与しうる。なお、Ｄ２Ｄ通信のために端末装置間に設定される通信リンクは、Ｄ２Ｄリンクと呼ばれることがある。【０００４】
Ｄ２Ｄ通信は、端末装置が基地局と直接的に通信できないときに、その端末装置と基地局との間で、Ｄ２Ｄ通信をサポートする他の端末装置が中継装置として動作するために使用できる。すなわち、端末／網中継（UE-to-Network Relay）により、実質的に、セル範囲が拡大される。また、Ｄ２Ｄ通信は、基地局を経由することなく送信元端末から宛先端末へ送信されるデータ（例えば、緊急情報など）を中継することもできる。すなわち、端末／端末中継（UE-to-UE Relay）により２ホップ以上のＤ２Ｄ通信が実現される。
【先行技術文献】
【特許文献】
【０００５】
【特許文献１】ＷＯ２０１４／０５０５５７
【発明の概要】
【発明が解決しようとする課題】
【０００６】
Ｄ２Ｄ通信を利用してデータが中継される場合、送信元と宛先との間に中継局として動作可能な複数の端末装置が存在することがある。この場合、複数の端末装置の中の１つが中継局として動作する。【０００７】
ところが、Ｄ２Ｄ通信は新しい技術であり、Ｄ２Ｄ通信を利用する中継方式について未だ十分な検討は行われていない。例えば、複数の端末装置の中から中継局として動作する端末装置を選択する方法は決められていない。このため、中継局として好ましくない端末装置が中継局として選択されてしまうと、送信元と宛先との間の通信の品質が劣化することがある。なお、この問題は、３ＧＰＰ標準リリース１２に記載されているＤ２Ｄ通信に限定されるものではなく、端末装置間で直接的に通信を行うことができる無線通信システムにおいて発生し得る。【０００８】
本発明の１つの側面に係わる目的は、Ｄ２Ｄ通信をサポートする無線通信システムにおいて、複数の端末装置の中から中継局として動作することが好ましい端末装置を適切に選択する方法を提供することである。
【課題を解決するための手段】
【０００９】
本発明の１つの態様の無線通信システムは、宛先装置と、Ｄ２Ｄ(device to device)通信をサポートし、前記宛先装置へデータを送信する送信元装置と、Ｄ２Ｄ通信をサポートする複数の端末装置と、を有する。前記送信元装置は、前記複数の端末装置へディスカバリ信号を送信する。前記複数の端末装置は、それぞれ、前記送信元装置から送信されるディスカバリ信号の受信電力、前記宛先装置から送信される参照信号の受信電力、自装置のバッテリ残量、自装置に隣接するＤ２Ｄノードの数、自装置に隣接するＤ２Ｄノードから受ける干渉のうちの少なくとも１つに基づいて優先値を計算する。前記複数の端末装置は、それぞれ、前記優先値を前記送信元装置へ送信する。前記送信元装置は、１または複数の端末装置から受信する優先値に基づいて、前記複数の端末装置の中から、前記送信元装置から前記宛先装置へ送信されるデータを中継する端末装置を選択する。
【発明の効果】
【００１０】
上述の態様によれば、Ｄ２Ｄ通信をサポートする無線通信システムにおいて、複数の端末装置の中から中継局として動作することが好ましい端末装置が適切に選択される。
【図面の簡単な説明】
【００１１】
【図１】無線通信システムの一例を示す図である。
【図２】中継局を選択する手順において使用されるメッセージの例を示す図である。
【図３】パラメータテーブルの一例を示す図である。
【図４】端末装置の一例を示す図である。
【図５】端末装置のハードウェア構成の一例を示す図である。
【図６】基地局の一例を示す図である。
【図７】第１の実施形態において中継局を選択するシーケンスの一例を示す図である。
【図８】中継局を選択する端末装置の動作の一例を示すフローチャートである。
【図９】中継局として選択され得る端末装置の動作の一例を示すフローチャートである。
【図１０】端末装置のグループ化について説明する図である。
【図１１】第１の実施形態において中継局を選択するシーケンスの他の例を示す図である。
【図１２】第２の実施形態において中継局を選択するシーケンスの一例を示す図である。
【発明を実施するための形態】
【００１２】
図１は、本発明の実施形態に係わる無線通信システムの一例を示す。この例では、無線通信システムは、複数の端末装置（ＤＵＥ：Device to Device User Equipment）１〜５および基地局６を含む。
【００１３】
基地局６は、この実施例では、eＮＢ（evolved Node B）である。ｅＮＢは、ＬＴＥにおいて使用される基地局である。よって、基地局６は、ＬＴＥのセルラ通信を管理および制御する。すなわち、基地局６は、端末装置から送信されるセルラ通信のデータ信号および制御信号を受信して処理することができる。また、基地局６は、セルラ通信のデータ信号および制御信号を端末装置へ送信することができる。
【００１４】
基地局６は、定期的に、報知信号を送信する。報知信号は、セル内のすべての端末装置により受信される。図１に示す例では、端末装置１〜３、５は、それぞれ報知信号を受信する。報知信号を受信した端末装置は、自分が基地局６のセル内に在圏していると判断することができる。また、報知信号を受信した端末装置は、基地局６へ応答信号を送信してもよい。この場合、基地局６は、セル内に在圏している端末装置を管理できる。
【００１５】
端末装置１〜５は、それぞれセルラ通信およびＤ２Ｄ通信をサポートする。すなわち、端末装置１〜５は、それぞれ、基地局１を介して他の端末装置へデータを送信することができ、基地局１を介して他の端末装置からデータを受信することができる。また、端末装置１〜５は、それぞれ基地局１を介することなく、Ｄ２Ｄリンクを介して他の端末装置と直接的に通信を行うことができる。セルラ通信またはＤ２Ｄ通信で伝送されるデータは、特に限定されるものではなく、音声データ、画像データ、動画像データ、テキストデータなどを含む。なお、以下の記載では、Ｄ２Ｄ通信をサポートする端末装置を「ＤＵＥ」と呼ぶことがある。
【００１６】
各端末装置は、例えば定期的に、Ｄ２Ｄ通信のディスカバリ信号をブロードキャストする。ディスカバリ信号は、ディスカバリ信号を生成した端末装置の存在を他の端末装置へ通知するために使用される。したがって、ディスカバリ信号は、ディスカバリ信号の送信元端末装置の識別情報を含むメッセージを伝送する。例えば、ＤＵＥ４から送信されるディスカバリ信号は「送信元ＩＤ：ＤＵＥ４」を含むメッセージを伝送する。なお、ディスカバリシーケンスは、例えば、ＰＲＡＣＨ（Physical Random Access Channel）、ＳＲＳ（Sounding Reference Signal）、及び／又はＰＳＳ（Primary Synchronization Signal）／ＳＳＳ（Secondary Synchronization Signal）に基づく。また、ディスカバリ信号のメッセージは、例えば、ＰＵＳＣＨ（Physical Uplink Shared Channel）を利用して伝送される。
【００１７】
ＤＵＥ４から送信されるディスカバリ信号は、ＤＵＥ４の近傍に位置している端末装置により受信される。この例では、ＤＵＥ１〜３がそれぞれＤＵＥ４から送信されるディスカバリ信号を受信する。この場合、ＤＵＥ４は、ＤＵＥ１〜３からそれぞれ送信されるディスカバリ信号を受信することができる。
【００１８】
上記構成の無線通信システムにおいて、ＤＵＥ４がセルラ通信を行うときは、例えば、基地局を検出するためにセルサーチを実行する。ところが、図１に示す例では、ＤＵＥ４は、基地局６のセル内に在圏していないので、基地局を検出できない。この場合、ＤＵＥ４は、以下の手順により、Ｄ２Ｄ通信を利用して基地局６にアクセスする。
【００１９】
ＤＵＥ４は、予め決められた送信電力で中継局ディスカバリ信号をブロードキャストする。中継局ディスカバリ信号の送信電力は、図２（ａ）の例に示すように送信電力情報がディスカバリメッセージに含まれる場合、端末装置ごとに異なっていてもよい。中継局ディスカバリ信号は、通常のディスカバリ信号と同様に、その中継局ディスカバリ信号の送信元端末装置の識別情報を含むメッセージを伝送する。ただし、中継局ディスカバリ信号により伝送されるディスカバリメッセージは、例えば、図２（ａ）に示すように、送信元ＩＤ、送信電力情報、データ種別情報を含む。送信元ＩＤは、中継局ディスカバリ信号の送信元を識別する。送信電力情報は、中継局ディスカバリ信号の送信電力を表す。データ種別情報は、Ｄ２Ｄリンクが確立された後にＤ２Ｄ通信で伝送するデータの種別を表す。例えば、データ種別は、緊急通信であるか非緊急通信であるかを表すようにしてもよい。緊急通信は、例えば、警察または消防を呼び出す呼を含む。なお、データ種別は、端末装置のユーザにより指定される。また、ディスカバリメッセージは、宛先ＩＤを含んでいてもよい。宛先ＩＤは、データの宛先の装置を識別する。
【００２０】
この例では、ＤＵＥ４から送信される中継局ディスカバリ信号は、ＤＵＥ１〜３により受信される。そうすると、ＤＵＥ１〜３は、それぞれ優先値を計算する。優先値は、後で詳しく説明するが、中継局として動作することについての優先度を表す。なお、ＤＵＥ１〜３は、受信したディスカバリメッセージに含まれるデータ種別情報が予め指定された種別（例えば、緊急通信）を表している場合にのみ、優先値を計算するようにしてもよい。
【００２１】
ＤＵＥ１〜３は、それぞれ計算した優先値をＤＵＥ４へ送信する。このとき、ＤＵＥ１〜３は、図２（ｂ）に示す応答メッセージを利用して、計算した優先値をＤＵＥ４へ送信する。
【００２２】
ここで、ＤＵＥ４から送信される中継局ディスカバリ信号が多数の端末装置により受信されるときは、多数の端末装置からＤＵＥ４へ優先値が通知される。この場合、優先値を伝送する手順によってＤ２Ｄ通信のためのリソースが輻輳するおそれがある。そこで、中継局ディスカバリ信号を受信した端末装置（図１では、ＤＵＥ１〜３）は、計算した優先値が予め指定されている閾値よりも高いときにのみ、その優先値をＤＵＥ４へ送信する。この方法によれば、閾値を適切に設定することにより、好ましい数の端末装置のみが優先値を送信することになる。
【００２３】
ＤＵＥ４は、１または複数の端末装置から受信する優先値に基づいて、中継局として動作する中継局ＤＵＥを決定する。このとき、ＤＵＥ４は、最も高い優先値を生成した端末装置を中継局ＤＵＥとして選択する。図１に示す例では、ＤＵＥ１〜３の中からＤＵＥ１が選択されている。この場合、ＤＵＥ４とＤＵＥ１との間にＤ２Ｄリンクが確立される。また、ＤＵＥ１は、ＤＵＥ４からＤ２Ｄリンクを介して受信するデータを基地局６へ転送するように設定される。すなわち、ＤＵＥ４とＤＵＥ１との間ではＤ２Ｄ通信が行われ、ＤＵＥ１と基地局６との間ではセルラ通信が行われる。
【００２４】
優先値は、下記のパラメータのうちの少なくとも１つに基づいて計算される。
（１）送信元側のＲＳＲＰ（Reference Signal Received Power）
（２）宛先側のＲＳＲＰ
（３）バッテリ残量
（４）隣接ＤＵＥ数
（５）干渉
【００２５】
送信元側のＲＳＲＰは、中継局ディスカバリ信号の送信元から送信される信号の受信電力を表す。ここで、中継局ディスカバリ信号の送信電力は、上述したように、予め決められている。或いは、中継局ディスカバリ信号の送信電力は、図２（ａ）に示すように、中継局ディスカバリ信号を用いて通知される。よって、中継局ディスカバリ信号は、ＲＳＲＰの測定において、参照信号として使用される。図１に示す例では、ＤＵＥ１〜３は、それぞれＤＵＥ４から送信される中継局ディスカバリ信号の受信電力を測定する。
【００２６】
宛先側のＲＳＲＰは、宛先装置から送信される信号の受信電力を表す。「宛先」は、例えば、基地局６である。この場合、各端末装置は、例えば、基地局６から送信される報知信号の受信電力を測定する。ここで、報知信号の送信電力が予め決まっている或いは既知であるときは、ＲＳＲＰの測定において、報知信号は参照信号として使用される。図１に示す例では、ＤＵＥ１〜３は、それぞれ基地局６から送信される報知信号の受信電力を測定する。
【００２７】
バッテリ残量は、端末装置に内蔵されるバッテリの残量を表す。図１に示す例では、ＤＵＥ１〜３は、それぞれ自装置のバッテリの残量をモニタする。
【００２８】
隣接ＤＵＥ数は、１ホップでアクセス可能なＤＵＥの個数を表す。ここで、各ＤＵＥがそれぞれ定期的にディスカバリ信号をブロードキャストする場合、各ＤＵＥは、それぞれ隣接するＤＵＥを検出できる。そして、検出されるディスカバリ信号の送信元の個数が、隣接ＤＵＥ数に相当する。例えば、図１に示す例において、ＤＵＥ１〜ＤＵＥ４がそれぞれディスカバリ信号をブロードキャストするものとする。そして、ＤＵＥ１は、ＤＵＥ２〜４からそれぞれディスカバリ信号を受信するものとする。この場合、ＤＵＥ１の「隣接ＤＵＥ数」は３である。尚、ＤＵＥはＤ２Ｄ通信をサポートする無線通信ノードなので、「隣接ＤＵＥ数」を「隣接するＤ２Ｄノードの数」と呼ぶことがある。
【００２９】
干渉は、特に限定されるものではないが、この例では、目的信号の受信電力および予測干渉電力に基づいて（あるいは、目的信号の受信電力と予測干渉電力との比に基づいて）計算される。一例として、図１において、ＤＵＥ１がＤＵＥ４から目的信号を受信するものとする。この場合、ＤＵＥ１は、まず、下式でＤＵＥ４とＤＵＥ１との間のパス損失ＰＬ(4,1)を計算する。
ＰＬ(4,1)＝Ｐ0−Ｐr(d)
Ｐ0は、中継局ディスカバリ信号の送信電力を表す。なお、中継局ディスカバリ信号の送信電力は、図２（ａ）に示すように、中継局ディスカバリメッセージにより通知される。また、Ｐr(d)は、ＤＵＥ１における中継局ディスカバリ信号の受信電力である。さらに、ＤＵＥ１は、予め、隣接ＤＵＥとの間のパス損失を測定してあるものとする。図１に示す例では、ＤＵＥ１は、予め、ＤＵＥ２とＤＵＥ１との間のパス損失ＰＬ(2,1)、およびＤＵＥ３とＤＵＥ１との間のパス損失ＰＬ(3,1)を測定してある。なお、各ＤＵＥは、例えば、定期的にブロードキャストされるディスカバリ信号を利用して、隣接ＤＵＥとの間のパス損失を測定または推定できるものとする。
【００３０】
ここで、パス損失ＰＬ(4,1)が小さいときは、ＤＵＥ１において目的信号の受信電力は大きい。この場合、目的信号に対する干渉は小さくなりやすい。パス損失ＰＬ(4,1)が大きいときは、ＤＵＥ１において目的信号の受信電力は小さい。この場合、目的信号に対する干渉は大きくなりやすい。隣接ＤＵＥとの間のパス損失（ＰＬ(2,1)、ＰＬ(3,1)）が小さいときは、ＤＵＥ１において予測干渉電力は大きい。この場合、目的信号に対する干渉は大きくなりやすい。隣接ＤＵＥとの間のパス損失が大きいときは、ＤＵＥ１において予測干渉電力は小さい。この場合、目的信号に対する干渉は小さくなりやすい。よって、ＤＵＥ１は、例えば、ＤＵＥ４とＤＵＥ１との間のパス損失ＰＬと、隣接ＤＵＥとの間のパス損失との比に基づいて、干渉を計算することができる。このとき、ＤＵＥ４とＤＵＥ１との間のパス損失ＰＬと、各隣接ＤＵＥとの間のパス損失の最小値との比に基づいて、干渉を計算してもよい。
【００３１】
各ＤＵＥは、上述のパラメータを格納するパラメータテーブルを備えるようにしてもよい。パラメータテーブルの一例を図３に示す。図３は、ＤＵＥ１に設けられるパラメータテーブルの一例を示す。図３に示す例では、隣接ＤＵＥとしてＤＵＥ２、ＤＵＥ３、ＤＵＥ４が検出されている。隣接ＤＵＥ数は、この例では３である。ただし、パラメータテーブルを利用して隣接ＤＵＥ数を計算するときに、検出されているＤＵＥ（ＤＵＥ２〜４）から、中継局ディスカバリ信号の送信元（ＤＵＥ４）を除くようにしてもよい。パス損失は、上述したように、干渉を計算するために使用される。なお、パラメータテーブルは、例えば、定期的に更新される。
【００３２】
端末装置は、上述したように、中継局ディスカバリ信号を受信すると、優先値を計算する。優先値は、例えば、下式で計算される。
優先値＝w1*RSRP(S) + w2*RSRP(D) + w3*BTT − w4*NUM_DUE − w5*INTER
ｗ１〜ｗ５は、それぞれ重みを表す。ｗ１〜ｗ５は、ゼロまたは正の値である。ＲＳＲＰ（Ｓ）は、送信元端末装置から受信する参照信号の受信電力を表す。ＲＳＲＰ（Ｄ）は、宛先装置から受信する参照信号の受信電力を表す。ＢＴＴは、バッテリ残量を表す。ＮＵＭ＿ＤＵＥは、隣接ＤＵＥ数を表す。ＩＮＴＥＲは、干渉を表す。
【００３３】
重みｗ１〜ｗ５は、ネットワークポリシに基づいて決定される。例えば、通信品質が重要視されるときは、ｗ１、ｗ２、ｗ５を大きくする。また、特定の端末装置に負荷が集中することを緩和するためには、ｗ４を大きくしてもよい。
【００３４】
優先値は、上述したパラメータのうちの少なくとも１つに基づいて計算される。したがって、例えば、ＲＳＲＰのみに基づいて優先値を計算するときは、ｗ１〜ｗ２はそれぞれ１であり、ｗ３〜ｗ５はそれぞれゼロである。
【００３５】
中継局ディスカバリ信号を受信した各端末装置は、計算した優先値と予め決められている閾値とを比較する。そして、優先値が閾値よりも高いときは、端末装置は、送信元端末装置へ優先値を通知する。送信元端末装置は、１または複数の端末装置から受信する優先値に基づいて、中継局として動作する中継局ＤＵＥを決定する。このとき、ＤＵＥ４は、最も高い優先値を生成した端末装置を、中継局として動作する中継局ＤＵＥとして選択する。
【００３６】
閾値は、例えば、予めシミュレーションまたは測定に基づいて決定される。ここで、閾値は、ＤＵＥが中継局として動作できるか否かを判定するために使用される。例えば、閾値が高いときは、中継局として高いパフォーマンスを提供できるＤＵＥのみが、優先値を送信元端末装置へ送信する。この場合、中継局として高いパフォーマンスを提供できる１または複数のＤＵＥの中から、中継局として動作するＤＵＥが選択される。よって、品質の良好な通信が提供される。ただし、閾値が高すぎると、中継局として動作するＤＵＥの候補が見つからないおそれがある。反対に、閾値が低すぎると、多数のＤＵＥから送信元端末装置へ優先値が通知されるおそれがある。この場合、優先値を伝送する手順によってＤ２Ｄ通信が輻輳するおそれがある。そこで、閾値は、送信元端末装置が受信する優先値の数が所定数（例えば、５）に近づくように決定される。
【００３７】
なお、ＤＵＥが存在する密度が高い地域においては、ＤＵＥが存在する密度が低い地域と比較して、閾値を高くしてもよい。この場合、基地局から各ＤＵＥに動的に閾値が設定されるようにしてもよい。
【００３８】
図４は、端末装置の一例を示す。端末装置１０は、図１に示す例では、ＤＵＥ１〜４に相当する。また、端末装置１０は、セルラ通信およびＤ２Ｄ通信をサポートする。なお、端末装置１０は、図４に示していない他の機能を有していてもよい。
【００３９】
端末装置１０は、図４に示すように、セルラ通信をサポートするために、トラヒック処理部１１、チャネルエンコーダ１２、ＩＦＦＴ回路１３、ＣＰ付加部１４、ＲＦ送信器１５、ＲＦ受信器１６、チャネル復調器１７、ＲＳＲＰ計算機１８を有する。
【００４０】
トラヒック処理部１１は、セルラ通信で送信するトラヒックを生成する。チャネルエンコーダ１２は、トラヒック処理部１１から出力されるトラヒックを符号化する。ＩＦＦＴ回路１３は、チャネルエンコーダ１２の出力信号に対して逆高速フーリエ変換を実行して時間領域信号を生成する。ＣＰ付加部１４は、ＩＦＦＴ回路１３から出力される時間領域信号にサイクリックプレフィックス（ＣＰ：Cyclic Prefix）を付加する。そして、ＲＦ送信器１５は、アンテナを介してセルラ信号を送信する。セルラ信号は、基地局により受信される。
【００４１】
ＲＦ受信器１６は、基地局から送信されるセルラ信号を受信する。そして、チャネル復調器１７は、受信セルラ信号を復調する。なお、受信セルラ信号がＤ２Ｄリソース割当て指示を含むときは、チャネル復調器１７は、受信セルラ信号からＤ２Ｄリソース割当指示を抽出して後述するＤ２Ｄスケジューラ２１に渡す。ＲＳＲＰ計算機１８は、基地局から送信される参照信号（例えば、報知信号）の受信電力を計算する。なお、ＲＳＲＰ計算機１８により得られる受信電力は、優先値を計算するときに宛先側ＲＳＲＰとして使用されることがある。
【００４２】
端末装置１０は、Ｄ２Ｄ通信をサポートするために、Ｄ２Ｄスケジューラ２１、Ｄ２Ｄデータ生成器２２、ディスカバリ信号生成器２３、ＲＦ送信器２４、ＲＦ受信器２５、データ信号復調器２６、ディスカバリ信号検出器２７、ＲＳＲＰ計算機２８、干渉計算機２９、優先値計算機３０、閾値判定部３１、選択部３２を有する。
【００４３】
Ｄ２Ｄスケジューラ２１は、無線通信システムにより提供されるリソースまたは予め用意されているリソースの中から、Ｄ２Ｄ通信のために使用するリソースを決定することができる。例えば、Ｄ２Ｄスケジューラ２１によりＤ２Ｄ通信のために使用する周波数が決定されたときは、端末装置１０は、その周波数でＤ２Ｄ通信を行う。また、Ｄ２Ｄスケジューラ２１は、基地局から受信するリソース割当指示に基づいて、端末装置１０のＤ２Ｄ通信を制御することもできる。例えば、リソース割当指示によりＤ２Ｄ通信の周波数が指定されたときは、Ｄ２Ｄスケジューラ２１は、指定された周波数でＤ２Ｄ信号が送信されるように、Ｄ２Ｄデータ生成器２２及び／又はＲＦ送信器２４を制御する。加えて、Ｄ２Ｄスケジューラ２１は、指定された周波数でＤ２Ｄ信号を受信するように、ＲＦ受信器２５及び／又はデータ信号復調器２６を制御してもよい。
【００４４】
Ｄ２Ｄデータ生成器２２は、Ｄ２Ｄスケジューラ２１による制御に従って、Ｄ２Ｄ通信の送信データを生成する。また、Ｄ２Ｄデータ生成器２２は、優先値計算機３０により得られた優先値を含む応答メッセージを生成することもできる。ディスカバリ信号生成器２３は、ディスカバリ信号／中継局ディスカバリ信号を生成する。ディスカバリ信号／中継局ディスカバリ信号は、自装置の識別情報を伝送する。また、ディスカバリ信号／中継局ディスカバリ信号は、例えば、ＰＵＳＣＨを利用して送信される。ＲＦ送信器２４は、アンテナを介してＤ２Ｄ信号（Ｄ２Ｄデータ信号、ディスカバリ信号、中継局ディスカバリ信号を含む）を送信する。
【００４５】
ＲＦ受信器２５は、他の端末装置から送信されるＤ２Ｄ信号（Ｄ２Ｄデータ信号、ディスカバリ信号、中継局ディスカバリ信号を含む）を受信する。データ信号復調器２６は、受信したＤ２Ｄデータ信号を復調してＤ２Ｄデータを再生する。
【００４６】
ディスカバリ信号検出器２７は、他の端末装置から送信されるＤ２Ｄ信号からディスカバリ信号／中継局ディスカバリ信号を検出する。このとき、ディスカバリ信号検出器２７は、ディスカバリ信号／中継局ディスカバリ信号の送信元の端末装置の識別情報を取得する。また、ディスカバリ信号検出器２７は、中継局ディスカバリ信号から送信電力情報およびデータ種別情報を抽出することができる。
【００４７】
ＲＳＲＰ計算機２８は、他の端末装置から送信される参照信号（例えば、ディスカバリ信号／中継局ディスカバリ信号）の受信電力を計算する。なお、ＲＳＲＰ計算機２８により得られる受信電力は、優先値を計算するために使用されることがある。干渉計算機２９は、ディスカバリ信号／中継局ディスカバリ信号の受信電力に基づいて、目的信号が受ける可能性がある干渉を計算する。この干渉は、上述したように、端末装置間のパス損失に基づいて計算される。
【００４８】
優先値計算機３０は、端末装置１０が中継局ディスカバリ信号を受信したときに、上述したパラメータ（１）〜（５）のうちの少なくとも１つを利用して優先値を計算する。なお、ＲＳＲＰは、ＲＳＲＰ計算機１８、２８により計算される。バッテリ残量は、不図示のバッテリをモニタすることにより得られる。隣接ＤＵＥ数は、ディスカバリ信号検出器２７によりディスカバリ信号が検出される端末装置をカウントすることにより得られる。干渉は、干渉計算機２９により計算される。
【００４９】
閾値判定部３１は、優先値計算機３０により計算される優先値を送信元端末装置へ送信するか否かを判定する。すなわち、閾値判定部３１は、計算された優先値が閾値よりも高いときに、その優先値を送信元端末装置に送信すると判定し、計算された優先値が閾値以下であるときに、その優先値を送信元端末装置に送信しないと判定する。優先値を送信元端末装置に送信すると判定されたときは、優先値計算機３０により計算された優先値は、Ｄ２Ｄデータ生成器２２を利用して送信元端末へ送信される。
【００５０】
選択部３２は、１または複数の他の端末装置から受信した優先値に基づいて、中継局として動作するＤＵＥ（以下、中継局ＤＵＥ）を選択する。たとえば、最も高い優先値を生成したＤＵＥが中継局ＤＵＥとして選択される。なお、端末装置１０は、中継局ＤＵＥとの間にＤ２Ｄリンクを確立する機能を備える。このとき、中継局ＤＵＥにおいては、端末装置１０からＤ２Ｄリンクを介して受信するデータを宛先装置（図１に示す例では、基地局６）へ転送するように、通信回路が設定される。
【００５１】
図５は、端末装置のハードウェア構成の一例を示す。端末装置１０は、図５に示すように、プロセッサ１０ａ、メモリ１０ｂ、送受信回路１０ｃ、バッテリ１０ｄを備える。なお、端末装置１０は、他のハードウェア要素を有していてもよい。
【００５２】
プロセッサ１０ａは、与えられたプログラムを実行することにより、端末装置１０の機能を実現する。例えば、図４に示すトラヒック処理部１１、チャネルエンコーダ１２、ＩＦＦＴ回路１３、ＣＰ付加部１４、チャネル復調器１７、ＲＳＲＰ計算機１８、Ｄ２Ｄスケジューラ２１、Ｄ２Ｄデータ生成器２２、ディスカバリ信号生成器２３、データ信号復調器２６、ディスカバリ信号検出器２７、ＲＳＲＰ計算機２８、干渉計算機２９、優先値計算機３０、閾値判定部３１、選択部３２の機能は、プロセッサ１０ａにより実現することができる。
【００５３】
メモリ１０ｂは、プロセッサ１０ａにより実行されるプログラムを格納する。また、メモリ１０ｂは、図３に示すパラメータテーブルを格納する。なお、メモリ１０ｂは、プロセッサ１０ａの作業領域を含む。送受信回路１０ｃは、図４に示すＲＦ送信器１５、ＲＦ受信器１６、ＲＦ送信器２４、ＲＦ受信器２５に相当する。バッテリ１０ｄは、プロセッサ１０ａ、メモリ１０ｂ、送受信回路１０ｃに電力を供給する。なお、バッテリ１０ｄの残量は、定期的に、プロセッサ１０ａ（優先値計算機３０）によりモニタされる。
【００５４】
図６は、基地局の一例を示す図である。基地局６は、図６に示すように、ＲＦ受信器４１、ＣＰ除去部４２、ＦＦＴ回路４３、チャネル分離器４４、データ信号復調器４５、チャネルデコーダ４６、制御信号復調器４７、チャネルデコーダ４８、Ｄ２Ｄリソーススケジューラ４９、データ信号生成器５０、ＤＵＥ選択部５１、制御信号生成器５２、ＩＦＦＴ回路５３、ＣＰ付加部５４、ＲＦ送信器５５を有する。なお、基地局６は、他の機能を有していてもよい。
【００５５】
ＲＦ受信器４１は、端末装置１０から送信されるセルラ信号を受信する。ＣＰ除去部４２は、受信セルラ信号からサイクリックプレフィックスを除去する。ＦＦＴ回路４３は、受信信号に対して高速フーリエ変換を実行して周波数領域信号を生成する。チャネル分離器４４は、周波数領域において受信信号をデータ信号および制御信号に分離する。
【００５６】
データ信号復調器４５は、受信したデータ信号を復調してデータを再生する。チャネルデコーダ４６は、再生データを復号する。制御信号復調器４７は、受信した制御信号を復調する。チャネルデコーダ４８は、復調された制御信号を復号して制御情報を再生する。
【００５７】
Ｄ２Ｄスケジューラ４９は、チャネルデコーダ４８により再生された制御情報を利用して、Ｄ２Ｄ通信のリソース割当指示を生成する。データ信号生成器５０は、端末装置１０へ送信するデータ信号を生成する。ＤＵＥ選択部５１は、セル内に在圏する端末装置の中から中継局として動作する１または複数の端末装置の候補を指定する。そして、ＤＵＥ選択部５１は、指定した端末装置を識別する識別情報を出力する。制御信号生成器５２は、端末装置１０を制御する制御信号を生成する。なお、Ｄ２Ｄスケジューラ４９により生成されるリソース割当指示は、データ信号生成器５０または制御信号生成器５２により端末装置１０へ送信される。また、ＤＵＥ選択部５１により選択された端末装置を表す識別情報は、制御信号生成器５２により端末装置１０へ送信される。
【００５８】
ＩＦＦＴ回路５３は、制御信号およびデータ信号に対して逆高速フーリエ変換を実行して時間領域信号を生成する。ＣＰ付加部５４は、ＩＦＦＴ回路５３から出力される時間領域信号にサイクリックプレフィックスを付加する。そして、ＲＦ送信器５５は、アンテナを介してセルラ信号を送信する。
【００５９】
＜第１の実施形態＞
図７は、第１の実施形態において中継局を選択するシーケンスの一例を示す。この例では、ＤＵＥ４が基地局６へアクセスするものとする。すなわち、ＤＵＥ４が送信元端末装置であり、基地局６が宛先装置である。ただし、ＤＵＥ４は、図１に示すように、基地局６のセルの外に位置しており、直接的には基地局６にアクセスできない。すなわち、ＤＵＥ４は、セルサーチを実行したときに、基地局６を検出できない。したがって、ＤＵＥ４は、ＤＵＥ４と基地局６との間で中継局として動作するＤＵＥを選択する。
【００６０】
ＤＵＥ４は、中継局ディスカバリ信号をブロードキャストする。この中継局ディスカバリ信号は、「送信元ＩＤ：ＤＵＥ４」「送信電力」「データ種別：緊急」を含むディスカバリメッセージを伝送する。この中継局ディスカバリ信号は、ＤＵＥ１〜３によりそれぞれ受信される。また、中継局ディスカバリ信号は、UE-to-Networkの中継であることを示すために「基地局」を指定する宛先ＩＤを含んでもよい。中継局ディスカバリ信号が宛先ＩＤを含まない場合、デフォルトとして、中継局ディスカバリ信号がUE-to-Networkの中継を要求している旨を各ＤＵＥに理解させることもできる。これらの場合、中継局ディスカバリを受信した各ＤＵＥは、最寄りの基地局を宛先として認識する。
【００６１】
各ＤＵＥ１〜３は、ディスカバリメッセージにより通知されるデータ種別が「緊急」であることを検出すると、優先値を計算する処理を開始する。優先値は、上述したように、送信元側ＲＳＲＰ、宛先側ＲＳＲＰ、バッテリ残量、隣接ＤＵＥ数、干渉のうちの少なくとも１つを利用して計算される。ただし、優先値は、少なくとも送信元側ＲＳＲＰおよび宛先側ＲＳＲＰを利用して計算されることが好ましい。
【００６２】
各ＤＵＥ１〜３は、計算した優先値と予め決められている閾値とを比較する。そして、計算した優先値が閾値よりも高いときは、ＤＵＥは、その優先値をＤＵＥ４へ送信する。図７に示す例では、ＤＵＥ１、２において優先値が閾値よりも高く、ＤＵＥ３において優先値が閾値よりも低い。よって、ＤＵＥ１、２は、それぞれ自装置で計算した優先値をＤＵＥ４へ送信する。すなわち、ＤＵＥ１からＤＵＥ４へ優先値１が通知され、ＤＵＥ２からＤＵＥ４へ優先値２が通知される。
【００６３】
ＤＵＥ４は、１または複数のＤＵＥから受信する優先値に基づいて、中継局として動作するＤＵＥを選択する。この例では、ＤＵＥ４は、ＤＵＥ１から優先値１を受信し、ＤＵＥ２から優先値２を受信する。ここで、優先値１は、優先値２よりも高いものとする。この場合、ＤＵＥ４は、中継局ＤＵＥとしてＤＵＥ１を選択する。
【００６４】
ＤＵＥ４は、ＤＵＥ１との間にＤ２Ｄリンクを確立する。このとき、ＤＵＥ１は、ＤＵＥ４からＤ２Ｄリンクを介して受信するデータを基地局６へ転送するように、通信回路が設定される。この結果、ＤＵＥ４から基地局６へ送信されるデータは、ＤＵＥ１により中継されて基地局６へ伝送される。このとき、ＤＵＥ４とＤＵＥ１との間はＤ２Ｄリンクを介してＤ２Ｄ通信が行われ、ＤＵＥ１と基地局６との間はセルラ通信が行われる。
【００６５】
このように、第１の実施形態によれば、端末装置が宛先装置と直接的に通信できないときには、複数のＤＵＥの中から中継局として動作する中継局ＤＵＥが選択される。このとき、中継局ＤＵＥは、各ＤＵＥの通信環境および動作状態を考慮して選択されるので、端末装置と宛先装置との間の通信の品質は良好である。また、中継局ＤＵＥは、各ＤＵＥにおいて生成される優先値に基づいて選択される。このとき、所定の閾値よりも高い優先値のみが、ＤＵＥから端末装置へ送信される。したがって、優先値の通知のためのトラヒックが抑制される。
【００６６】
図８は、中継局を選択する端末装置の処理を示すフローチャートである。このフローチャートの処理は、例えば、図１または図７に示すＤＵＥ４において実行される。また、このフローチャートの処理は、中継局を選択する端末装置のプロセッサ１０ａにより実行される。さらに、このフローチャートの処理は、例えば、端末装置がセルサーチにおいて基地局を検出できなかったときに実行される。
【００６７】
Ｓ１において、端末装置は、中継局ディスカバリ信号をブロードキャストする。Ｓ２〜Ｓ３において、端末装置は、中継局ディスカバリ信号に対応する応答メッセージを待ち受ける。そして、１または複数のＤＵＥから応答メッセージを受信したときは、端末装置の処理はＳ４へ進む。一方、中継局ディスカバリ信号が送信されたときから所定時間内に端末装置が応答メッセージを受信できなかったときは、端末装置は孤立していると判定される。この場合、端末装置の処理は終了する。
【００６８】
Ｓ４において、端末装置は、受信した応答メッセージから優先値を取得する。即ち、端末装置は、各ＤＵＥにおいて生成された優先値を取得する。Ｓ５において、端末装置は、取得した優先値に基づいて中継局ＤＵＥを選択する。そして、端末装置は、中継局ＤＵＥに対して中継局として動作することを指示するメッセージを送信し、中継局ＤＵＥとの間にＤ２Ｄリンクを確立する。
【００６９】
図９は、中継局として選択され得るＤＵＥの処理を示すフローチャートである。このフローチャートの処理は、例えば、図１または図７に示すＤＵＥ１〜３により実行される。また、このフローチャートの処理は、ＤＵＥのプロセッサ１０ａにより実行される。
【００７０】
Ｓ１１において、ＤＵＥは、送信元端末装置から中継局ディスカバリ信号を受信する。Ｓ１２において、ＤＵＥは、ディスカバリメッセージ中のデータ種別を参照して、中継局ディスカバリ信号に対して応答するか否かを判定する。例えば、データ種別が「緊急」であれば、ＤＵＥは、中継局ディスカバリ信号に対して応答すると判定する。
【００７１】
Ｓ１３において、ＤＵＥは、中継局ディスカバリ信号の受信電力を計算する。この受信電力は、送信元側ＲＳＲＰとしてパラメータテーブルに格納される。Ｓ１４において、ＤＵＥは、他の選択パラメータ（宛先側ＲＳＲＰ、バッテリ残量、隣接ＤＵＥ数、干渉等）を取得する。選択パラメータは、例えば、予め測定されて図３に示すパラメータテーブルに格納されている。ただし、ＤＵＥは、中継局ディスカバリ信号を受信したときに、各選択パラメータを測定してもよい。
【００７２】
Ｓ１５において、ＤＵＥは、選択パラメータ（送信元側ＲＳＲＰを含む）に基づいて優先値を計算する。Ｓ１６において、ＤＵＥは、Ｓ１５で得られた優先値と閾値とを比較する。そして、優先値が閾値よりも高いときは、ＤＵＥは、Ｓ１７において、その優先値を含む応答メッセージを生成して送信元端末装置へ送信する。一方、優先値が閾値以下であれば、ＤＵＥは、中継局ディスカバリ信号に応答しない。
【００７３】
なお、上述の実施例では、宛先装置は基地局装置であるが、本発明はこの形態に限定されるものではない。すなわち、宛先装置は、端末装置（ここでは、ＤＵＥ）であってもよい。例えば、図１において、ＤＵＥ４はＤＵＥ５にアクセスしたいが、ＤＵＥ４から送信される無線信号はＤＵＥ５には届かないものとする。第１の実施形態によれば、このようなケースにおいても、ＤＵＥ１〜３の中から中継局として動作するＤＵＥが選択される。
【００７４】
ただし、宛先装置がＤＵＥであるときは、送信元端末装置は、中継局ディスカバリ信号を利用して宛先ＩＤを含むディスカバリメッセージをブロードキャストしてもよい。この場合、中継局ディスカバリ信号を受信したＤＵＥは、宛先装置を特定できるので、宛先側ＲＳＲＰなどを取得できる。すなわち、中継局ディスカバリ信号を受信したＤＵＥは、宛先が基地局である場合と同様の方法で、優先値を計算することができる。したがって、第１の実施形態によれば、宛先装置がＤＵＥであっても、中継局として動作することが好ましいＤＵＥが選択され、その選択されたＤＵＥによって中継動作が提供される。
【００７５】
中継局として動作し得る端末装置は、グループ化されていてもよい。図１０に示す例では、ＤＵＥ７ａ、７ｅは第１グループに属し、ＤＵＥ７ｂ、７ｄは第２グループに属し、ＤＵＥ７ｃ、７ｆは第３グループに属している。第１グループに属するＤＵＥ７ａ、７ｅは、第１グループに対応するデータ種別（例えば、警察への通報）を指定する中継局ディスカバリ信号を受信したときのみ、優先値を計算して送信元端末装置（ＤＵＥ４）へ送信する。また、第２グループに属するＤＵＥ７ｂ、７ｄは、第２グループに対応するデータ種別（例えば、消防への通報）を指定する中継局ディスカバリ信号を受信したときのみ、優先値を計算して送信元端末装置（ＤＵＥ４）へ送信する。この場合、優先値を送信するか否かを判定するための閾値は、グループ毎に異なっていてもよい。
【００７６】
上述の実施例では、各ＤＵＥで計算された優先値に基づいて送信元端末装置が中継局ＤＵＥを選択するが、本発明はこの方法に限定されるものではない。例えば、各ＤＵＥで計算された優先値に基づいて基地局が中継局ＤＵＥを選択してもよい。
【００７７】
図１１は、基地局が中継局を選択するシーケンスの一例を示す。なお、送信元端末装置が中継局ディスカバリ信号をブロードキャストする手順、中継局ディスカバリ信号を受信したＤＵＥが優先値を計算する手順は、図７および図１１において実質的に同じである。
【００７８】
図１１に示す例では、ＤＵＥ１およびＤＵＥ２は、それぞれ優先値１および優先値２を基地局６へ送信する。基地局６は、受信した優先値に基づいて、中継局として動作するＤＵＥを選択する。この例では、ＤＵＥ１が中継局ＤＵＥとして選択される。そうすると、基地局６は、ＤＵＥ１が中継局ＤＵＥとして選択されたことを表すメッセージをＤＵＥ１へ送信し、ＤＵＥ１は、このメッセージを送信元端末装置（ここでは、ＤＵＥ４）へ転送する。この後、図７に示す例と同様に、ＤＵＥ１は、ＤＵＥ４と基地局６との間の通信を中継する。
【００７９】
＜第２の実施形態＞
第１の実施形態では、送信元端末装置が中継局ディスカバリ信号をブロードキャストすることにより、中継局として動作するＤＵＥを選択する手順が開始される。第２の実施形態では、中継局として動作することを希望するＤＵＥが、送信元ディスカバリ信号をブロードキャストする。中継局として動作することを希望するか否かは、例えば、ＤＵＥのユーザにより指定される。また、基地局から指定されたＤＵＥが、送信元ディスカバリ信号をブロードキャストしてもよい。送信元ディスカバリ信号は、例えば、定期的にブロードキャストされる。
【００８０】
送信元ディスカバリ信号は、図２（ｃ）に示すように、「送信元ＩＤ」「選択パラメータ」を含む。送信元ＩＤは、送信元ディスカバリ信号の送信元を識別する。選択パラメータは、宛先側ＲＳＲＰ、バッテリ残量、隣接ＤＵＥ数を含む。この実施例では、宛先装置は、図１に示す基地局６である。この場合、宛先側ＲＳＲＰは、基地局６から送信される参照信号（例えば、報知信号）の受信電力を表す。また、バッテリ残量および隣接ＤＵＥ数は、第１の実施形態および第２の実施形態において同じである。なお、送信元ディスカバリ信号の送信電力は、予め決められていることが好ましい。例えば、送信元ディスカバリ信号の送信電力は、通常のディスカバリ信号または上述した中継局ディスカバリ信号と同じであってもよい。
【００８１】
送信元端末装置は、基地局６を介して他の端末装置と通信を行うときは、セルサーチを実行する。そして、セルサーチが失敗したときは、送信元端末装置は、１または複数のＤＵＥから受信する送信元ディスカバリ信号を利用して、中継局として動作するＤＵＥを選択する。このとき、送信元端末装置は、送信元ディスカバリ信号の受信電力および送信元ディスカバリ信号により伝送される選択パラメータに基づいて、対応する優先値を計算する。そして、送信元端末装置は、１または複数のＤＵＥについて計算した優先値に基づいて、中継局として動作するＤＵＥを選択する。
【００８２】
図１２は、第２の実施形態において中継局を選択するシーケンスの一例を示す。この例では、図７に示すシーケンスと同様に、ＤＵＥ４が基地局６へアクセスするものとする。すなわち、ＤＵＥ４が送信元端末装置であり、基地局６が宛先装置である。また、ＤＵＥ４は、セルサーチを実行したときに、基地局６を検出できないものとする。
【００８３】
ＤＵＥ１〜４のうち、ＤＵＥ１〜２は、定期的に、送信元ディスカバリ信号をブロードキャストする。すなわち、ＤＵＥ１〜２は、ユーザにより、中継局として選択され得る状態に設定されている。或いは、ＤＵＥ１〜２は、基地局６により、中継局として選択され得るＤＵＥとして指定されている。
【００８４】
送信元ディスカバリ信号は、図２（ｃ）に示すように、選択パラメータを含むディスカバリメッセージを伝送する。選択パラメータは、上述したように、宛先側ＲＳＲＰ、バッテリ残量、隣接ＤＵＥ数を含む。例えば、ＤＵＥ１により収集される選択パラメータは、基地局６から送信される報知信号の受信電力、ＤＵＥ１のバッテリ残量、ＤＵＥ１に隣接するＤ２Ｄノードの数を含む。なお、各ＤＵＥの選択パラメータは、上述したように、図３に示すパラメータテーブルに格納されているものとする。
【００８５】
ＤＵＥ４は、他のＤＵＥによりブロードキャストされる送信元ディスカバリ信号を待ち受ける。この例では、ＤＵＥ４は、選択パラメータ１を含む送信元ディスカバリ信号１をＤＵＥ１から受信し、選択パラメータ２を含む送信元ディスカバリ信号１をＤＵＥ２から受信する。そうすると、ＤＵＥ４は、ＤＵＥ１〜２についてそれぞれ優先値を計算する。
【００８６】
具体的には、ＤＵＥ４は、ＤＵＥ１から送信される送信元ディスカバリ信号１の受信電力を計算する。ここで、ＤＵＥ１からＤＵＥ４へ向かうパスの損失およびＤＵＥ４からＤＵＥ１へ向かうパスの損失は、ほぼ同じである。よって、ＤＵＥ４における送信元ディスカバリ信号１の受信電力は、ＤＵＥ４からＤＵＥ１へ参照信号が送信されたときのＤＵＥ１におけるＲＳＲＰに相当する。すなわち、ＤＵＥ４における送信元ディスカバリ信号１の受信電力は、ＤＵＥ４からＤＵＥ１を経由して基地局６へデータが転送されるときの、ＤＵＥ１における送信側ＲＳＲＰに相当する。
【００８７】
ＤＵＥ４は、ＤＵＥ１から送信される送信元ディスカバリ信号１の受信電力（即ち、送信元側ＲＳＲＰ）、およびＤＵＥ１から受信する選択パラメータ１に含まれる宛先側ＲＳＲＰ、バッテリ残量、隣接ＤＵＥ数を利用して、ＤＵＥ１の優先値を計算する。同様に、ＤＵＥ４は、ＤＵＥ２から送信される送信元ディスカバリ信号２の受信電力および選択パラメータ２を利用してＤＵＥ２の優先値を計算する。
【００８８】
優先値に基づいて中継局として動作するＤＵＥを選択する方法、および選択されたＤＵＥを利用してリンクを確立する方法は、第１および第２の実施形態において実質的に同じである。したがって、図７に示す例と同様に、図１２に示すシーケンスでも、ＤＵＥ４とＤＵＥ１との間にＤ２Ｄリンクが確立される。また、ＤＵＥ１は、ＤＵＥ４からＤ２Ｄリンクを介して受信するデータを基地局６へ転送するように、通信回路が設定される。この結果、ＤＵＥ４から基地局６へ送信されるデータは、ＤＵＥ１により中継されて基地局６へ伝送される。
【図１】
2016181547.tif 000003
【図２】
2016181547.tif 000004
【図３】
2016181547.tif 000005
【図４】
2016181547.tif 000006
【図５】
2016181547.tif 000007
【図６】
2016181547.tif 000008
【図７】
2016181547.tif 000009
【図８】
2016181547.tif 000010
【図９】
2016181547.tif 000011
【図１０】
2016181547.tif 000012
【図１１】
2016181547.tif 000013
【図１２】
2016181547.tif 000014
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
宛先装置と、
Ｄ２Ｄ（device to device）通信をサポートし、前記宛先装置へデータを送信する送信元装置と、
Ｄ２Ｄ通信をサポートする複数の端末装置と、を有し、
前記複数の端末装置のそれぞれは、前記宛先装置により前記送信元装置との通信の中継局として選択され得る状態に設定されている場合に、パラメータ情報を含むディスカバリ信号を前記送信元装置へ送信し、
前記送信元装置は、前記複数の端末装置の中の１以上の端末装置から受信した前記ディスカバリ信号を測定し、測定結果に応じて、前記複数の端末装置の中から、前記送信元装置から前記宛先装置へ送信されるデータを中継する端末装置を選択する
ことを特徴とする無線通信システム。
【請求項２】
前記宛先装置と前記複数の端末装置は、それぞれセルラ通信をサポートしている
ことを特徴とする請求項１に記載の無線通信システム。
【請求項３】
前記送信元装置は、前記ディスカバリ信号の受信電力を測定する
ことを特徴とする請求項１または２に記載の無線通信システム。
【請求項４】
前記送信元装置は、前記複数の端末装置の中から、前記ディスカバリ信号の測定結果に応じた値が最も大きい端末装置を中継局として選択する
ことを特徴とする請求項１〜３のいずれか１つに記載の無線通信システム。
【請求項５】
前記複数の端末装置は、前記宛先装置から送信される参照信号の受信電力、自装置のバッテリ残量、自装置に隣接するＤ２Ｄノードの数のうちの少なくとも１つを前記パラメータ情報に含ませて、前記ディスカバリ信号を送信する
ことを特徴とする請求項１に記載の無線通信システム。
【請求項６】
前記送信元装置は、選択された端末装置へＤ２Ｄ通信でデータを送信し、
選択された端末装置は、前記送信元装置から受信したデータを前記宛先装置へ転送する
ことを特徴とする請求項１〜４のいずれか１つに記載の無線通信システム。
【請求項７】
前記複数の端末装置は、前記宛先装置から受信した制御情報の少なくとも一部を前記パラメータ情報に含ませて、前記ディスカバリ信号を送信する
ことを特徴とする請求項１〜６のいずれか１つに記載の無線通信システム。
【請求項８】
Ｄ２Ｄ（device to device）通信をサポートする無線通信装置において、
宛先装置により中継局として選択され得る状態に設定されている１以上の端末装置のそれぞれから、パラメータ情報を含むディスカバリ信号を受信する受信部と、
受信した前記ディスカバリ信号を測定し、測定結果に応じて、前記１以上の端末装置の中から、前記宛先装置へ送信されるデータを中継する端末装置を選択することが可能な選択部と、
を備えることを特徴とする無線通信装置。
【請求項９】
前記選択部は、前記ディスカバリ信号の受信電力を測定し、測定結果に応じて、前記１以上の端末装置の中から、前記宛先装置へ送信されるデータを中継する端末装置を選択する
ことを特徴とする請求項８に記載の無線通信装置。
【請求項１０】
前記選択部は、前記１以上の端末装置の中から、前記ディスカバリ信号の測定結果に応じた値が最も大きい端末装置を中継局として選択する
ことを特徴とする請求項８または９に記載の無線通信装置。
【請求項１１】
前記受信部は、前記宛先装置から送信される制御情報の少なくとも一部を含む前記パラメータ情報を含む前記ディスカバリ信号を受信する
ことを特徴とする請求項８〜１０のいずれか１つに記載の無線通信装置。
【請求項１２】
宛先装置と、Ｄ２Ｄ（device to device）通信をサポートし、前記宛先装置へデータを送信する送信元装置と、Ｄ２Ｄ通信をサポートする複数の端末装置と、を含む無線通信システムにおいて使用される基地局装置であって、
前記複数の端末装置のうちの１以上端末装置を前記送信元装置との通信の中継局として選択され得る状態に設定する制御部と、
前記送信元装置により、前記１以上の端末装置から前記送信元装置へ送信されたパラメータ情報を含むディスカバリ信号が測定され、測定結果に応じて、前記１以上の端末装置の中から、前記送信元装置から前記宛先装置へ送信されるデータを中継する中継局として選択された端末装置から前記データを受信する受信部と、
を備えることを特徴とする基地局装置。
【請求項１３】
Ｄ２Ｄ（device to device）通信をサポートする端末装置おいて、
宛先装置により送信元装置との通信の中継局として選択され得る状態に設定されている場合に、パラメータ情報を含むディスカバリ信号を前記送信元装置へ送信する送信部と、
前記送信元装置により、前記ディスカバリ信号が測定され、測定結果に応じて、前記端末装置を含む複数の端末装置の中から、前記送信元装置から前記宛先装置へ送信されるデータを中継する中継局として選択された場合に、前記データを受信する受信部と、
を備えることを特徴とする端末装置。
【請求項１４】
宛先装置と、Ｄ２Ｄ（device to device）通信をサポートし、前記宛先装置へデータを送信する送信元装置と、Ｄ２Ｄ通信をサポートする複数の端末装置と、を含む無線通信システムにおいて前記送信元装置により使用される無線通信方法であって、
前記宛先装置により中継局として選択され得る状態に設定されている前記複数の端末装置のうちの１以上の端末装置のそれぞれから、パラメータ情報を含むディスカバリ信号を受信し、
前記１以上の端末装置から受信した前記ディスカバリ信号を測定し、測定結果に応じて、前記複数の端末装置の中から、前記送信元装置から前記宛先装置へ送信されるデータを中継する端末装置を選択する
ことを特徴とする無線通信方法。
【国際調査報告】
2016181547.tif 000015
2016181547.tif 000016
2016181547.tif 000017
2016181547.tif 000018